(57)【要約】      （修正有）【課題】資源の無駄使いをしない省エネ化、可能な限りエコロジー化を計る必要がある。歯の隅々が磨けない従来歯ブラシの形状と作用性は余りにも不都合で在るから、体力の消耗を殆ど必要とせず、歯の隅々まで磨けるような歯ブラシを提供する。【解決手段】歯ブラシ全体は掌サイズで、柄部は、手の指が届くほど短くして、磨く動作は、磨き剤や湯水の使用をしないで、専ら親指、人差し指、中指の指先で軽く柄を摘まみ、柄の背面は掌に乗せ、ブラシ部の毛先を磨きたいと狙った歯にポイントして、指で磨く感覚で軽く押したり引いたり掘ったり回したりが楽しく進んで行え、磨き剤や水を使わず清潔にブラッシングができて、シンプルで経済性に優れ、省エネとエコロジーに適し、安価な大量生産に適し、木竹等を素材にした漆塗りや螺鈿塗りや彫刻を施した逸品の歯ブラシ台を作りをして、独自の生活文化に根ざした伝統工芸品として楽しく生産するのにも優れて良い。【選択図】図１
2016129652.tif 000002
【特許請求の範囲】
【請求項１】
歯ブラシについて、ブラシ面には間２を設け、毛束１が間２を一順するリング植毛３を特徴とし、柄部は、付属品を繋ぎやすいストラップホール４を柄平面に数個設け、歯ブラシ全体の長さは掌に収まるほど短くして、利き腕の掌に置いて、伸ばした柄の大半の部分を人差し指、中指、親指等で摘まむ、柄の底面、左右側面、平面部に指が軽く届き、柄の背面部は広い掌に届いた状態に収まり、指先と掌を主に用いてブラシ操作する、特徴として、軽く自分の指先で磨いている感覚が伝わる構成にしたリング歯ブラシＡ。
【請求項２】
ストラップホール４を着けたブラシキャップ５を設け、ストラップ６を繋ぎ、一方の端を上記、リング歯ブラシＡのストラップホール４を選んで繋いで成るキャップリング歯ブラシＢ。
【請求項３】
キャップリング歯ブラシＢのストラップ６とストラップホール４の間に、楽しく操作性を円滑にする着脱できる大小のリング７とサルカン８等の付属品を設けたジョイントキャップリング歯ブラシＣ。
【発明の詳細な説明】
【技術分野】
【０００１】本発明は、歯磨き効果を図り、省エネ化、エコロジー化を図った歯ブラシに関する。
【背景技術】
【０００２】  従来の一般家庭用プラスチック製の歯ブラシは、大型でブラシ面は隙間が無いほど毛束が密に植毛され、柄は太く長く丈夫に作られ、柄を鷲掴みに握りブラシ束を歯面に当て、肩や肘を動かしてゴシゴシと束子で歯面を押さえ力を入れて擦過するのに適し、毛束の先を歯間や歯周に当て細かく丁寧に磨く事よりも生活習慣に組み込まれた朝夕の洗願に伴う歯磨き道具として継承してあり、頑丈であることが望まれ愛用される要件でも在るかの如くであり、タイルの繋ぎ目の黴落としや靴磨きには適しているが、歯磨きで最も大切な歯間や歯周を丁寧に磨く構成に成っていないから、食物咀嚼残渣が隙間に残りプラークが出来易いから、楽しくないしやる気が起こらない。【０００３】  何故に百年以上も前から変わらぬ構成の歯ブラシが世界中で大量に生産され続けられているのか、従来歯ブラシを良品とされ是認され続け、時に奨励されているが、国民の健康や歯科衛生問題に関わっている専門家の人々は、従来歯ブラシの構成を如何なる根拠により是認されておられるのか、浅学未熟な私は永らくこの問題について考え研究いたして参りましたが、どうしても従来歯ブラシの構成を理解致しがたく、従来歯ブラシ達は定着した生活習慣を大衆から支持を受けていると勘違いし、盲目的になる罠に嵌り酔いしれ、原始的な歯ブラシの生産販売に何ら疑問を持つ事も無く邁進しているが、国民の歯科衛生状態が一向に改善されず、昨今、歯科医療を目指す開業医が急増中である現状と全国民が使用し続けている従来歯ブラシとその歯ブラシで磨く時の動作とは、切っても切れない関係にあり、この関係は誠に深刻な問題であると思料する。
また、従来歯ブラシの一般的な動作は、洗面所において１日に１回から３回前後、歯ブラシの先に磨き剤を着け、水とコップを用意して行うが、煩雑な不便さが伴うから多忙な方々には、永年伝わる生活習慣であっても有難くない楽しくない動作であり、従来歯ブラシに対する愛着は失せ、洗面所の飾り物として置いて在るが、歯磨き効果が現れず楽しくない歯磨き動作を伴うのでは、何時までも許容範囲内の物として大多数から愛用され続けられるとは考え難い。
【先行技術文献】
【非特許文献】
【０００４】  本発明出願者は、歯の健康の必要を力説しようとして恥ずかしながら歯ブラシに関わる出願を多数拙い出願を行っています直近では特願２０１４−１８５６５３等、甚だ浅学未熟であり、毎度ご迷惑な申請で迷惑をお掛けしています。本件を含めて専門の方々にお願いして補正するなどの提出をいたすべきと考えています。
【発明の概要】
【発明が解決しようとする課題】
【０００５】  以上に述べた従来太くて長い歯ブラが、世界中で購入されては廃棄されている現状を想像すると、莫大な量のプラスチックが無駄に扱われていると思われる、資源の無駄使いをしない省エネ化、可能な限りエコロジー化を計る必要がある。代々教えられた習慣とは申せ、歯の隅々が磨けない従来歯ブラシの形状と作用性は余りにも不都合で在るから、体力の消耗を殆ど必要とせず、歯の隅々まで磨けるように構成された、合理性が在り楽しく使える歯ブラシの出現が望まれている。【０００６】  本発明は、従来の構成が有していた問題を解決しようとするものであり、プラスチックの利用は極力抑えられる形状にし、磨き剤やコップや水を一切使用せず、歯間や歯周に付着した食物咀嚼残渣やプラークをきめ細かく丁寧に無理なく除去することを主眼にし、肩や肘の駆動を控え手の指先動作だけで楽しく何時でも何処でも自在な姿勢で歯磨き操作が行える歯ブラシの提供をする事が目的である。
【課題を解決するための手段】
【０００７】  そして、本発明は上記目的を達成するために、歯ブラシのブラシ部は、ブラシ面の中央に設けた間２を跨いで、細く長い毛と短い毛を混ぜた毛束１を、間２を巡る一順したリング植毛３し、歯間や歯周に深く入り易くした毛先を、磨きたい箇所に在る歯の部分に移動してブラシの間２を当て、リング植毛３の毛先が容易に歯茎周りや歯と歯の隙間に入り込み易くし、狙いを定め囲んで、きめ細かく丁寧に虫歯の原因に成りやすい食物咀嚼残渣や糖類を捕らえ払える構成にした。
ために設けた間２を点々と１巡だけの、リング植毛３をして、食物咀嚼残渣を歯間から掃い、残渣の内の口腔外に排出すべき物以外は、すべて嚥下し、ブラシ内に残って目視出来る物が有れば吸い取り嚥下する、専ら歯磨き剤や湯水の使用を一切使用しないで、ブラシ面を極力清潔に保てるように自覚し、潔に保ち易いブラシ面の構成であるから慣れれば簡単な動作で在るし、柄部は、あらかじめ繋ぎやすいストラップホール４を数個設けるが、歯ブラシ全体の長さは掌に収まるほど短くして、利き腕の掌に置いて、柄の殆どが使用者の人差し指、中指、親指がブラシ柄の底面、左右側面、平面部に軽く届き、柄の背面部が掌に届いた状態に収め、指先操作と掌を主にして使えるように、まるで自分の指先で磨いているのにも似たる構成にしたリング歯ブラシＡを提供する。【０００８】  そして、ストラップホール４を着けたブラシキャップ５を設け、ストラップ６を繋ぎ、一方の端を上記、リング歯ブラシＡのストラップホール４を選んで繋いで成るキャップリング歯ブラシＢを提供する。【０００９】  そして、キャップリング歯ブラシＢのストラップ６とストラップホール４の間に、楽しく操作性を円滑にする着脱できる大小のリング７とサルカン８等の付属品を設けたジョイントキャップリング歯ブラシＣを提供する。【００１０】  上記解決手段による作用は次の通りである。歯ブラシの毛先が歯間や歯周に入りやすくなり、食物咀嚼残渣等を掃いやすくなり、食物残渣を全て吸収嚥下しやすく、磨き剤や湯水の使用をしなくて良いし、ブラシ面が目視し易く常時清潔に保て雑菌を寄せ付けないし、歯を磨くときに無駄な動作を排した効果的指先操作で、素早く歯間や歯周や歯茎等のポイントを、リング植毛３の先がキャッチするからポイントゲットが容易に行え、歯列全体のブラッシングにおいても敏感に捉えて行え、何時でも何処でも、咄嗟に湯水や歯磨き剤の使用をしないで済み、従来の如く歯ブラシを鷲掴みにして肩や肘を張って洗面所でゴシゴシと擦る大雑把な歯磨きとは対極的に、少ない動きで軽く、歯ブラシの柄に指先を添え、歯間や歯周に接する感覚を感じながら、細かく丁寧で滑らかに楽しくブラッシングが行えるから、歯科衛生状態を飛躍的に改善できる。使い始めると鏡に映して観たくなり、美しくなり、スポーツ選手でなくても噛み切るパワーが全身に湧き出し、清涼感と共に漲る満足感が去来する程である。従来歯ブラシの効果とその動作を比較すると、著しく優れた作用が在る。
【発明の効果】
【００１１】  上述したように本発明の歯ブラシは、上記のリング歯ブラシＡ、キャップリング歯ブラシＢ、ジョイントキャップリング歯ブラシＣ等は、シンプルな構造であるから、軽く指先を主に手首を従に動かし、磨き剤や水の使用を一切しないで、歯間や歯周を無理なく楽しく磨け、何時でも何処でも咄嗟に使える。
歯を守る道具としての要件を満たし、従来に無い省エネ、エコロジー化も果たせ、しかも著しい歯磨き効果が在る。【００１２】  また、歯周に毛束が入りやすい構成であるから、指先だけの操作で何時でも何処でも歯ブラシの毛先を、狙った歯に当てやすいから、使い始めると歯の異常シグナルが即刻大脳に伝わるから、食物咀嚼残渣等が付着したら、その部分を狙ったポイントブラッシングが簡単に行える歯磨き習慣が自然に楽しく定着し、歯が丈夫で健康であることの素晴らしさに目覚め、歯医者にそれほど通わなくても、歯科衛生状態の健康状態は日に日に好転するので従来と比べると、医者要らずの用具として欠かせない歯ブラシとなり、身近に置いた歯磨き生活が始まる等の、驚くべき効果が現れる。
【図面の簡単な説明】
【００１３】
【図１】本発明ジョイントキャップリング歯ブラシＣの左右対称に現れる左側面図
【図２】リング歯ブラシの平面図
【図３】同歯ブラシの底面図
【図４】同歯ブラシの左右対称に現れる左側面図
【図５】同歯ブラシの正面図
【図６】同歯ブラシの背面図
【発明を実施するための形態】
【００１４】以下、本発明の実施の形態を図１〜図６に基づいて説明する。
【００１５】  図において、図１は本発明のジョイントキャップリング歯ブラシＣであり、ブラシキャップ５にブラシ部位を納めた状態であり、その構成と動作については、ブラシキャップ５が１個、丸く捻じ曲げた繋ぎ用小リング７が４個、扱う手の親指以外の指が嵌る程度の大リング７が１個、専ら釣り用具に使われるサルカンが１個、諸々のストラップで良いが、ロールチェーンを選んだストラップ６が１個、をリング歯ブラシＡの選んだストラップホール４の１個に繋がっている。図２．３．４．５．４のリング歯ブラシＡは標準的実物サイズに近い図であり、全体が掌に納まるほどで在る。
歯ブラシとして使う時は、ブラシキャップ５の蓋を開けてキャップを閉めて掌にグリップしたり、大リング７に小指か薬指を嵌めたり、使用者が使い易い其の場のスタイルを選んで、親指、人差し指、中指の指先で軽く摘まむように、柄の中程から後方背面に至る部位までに当てて、ブラシ部位のリング植毛３する毛束１の先を磨く歯の近くに当て、回したり、捻ったり、押したり引いたり、歯間に差し込んだり、短い鉛筆を扱う如く湯水や歯磨き剤等の使用をしないで行う。
【００１６】  シンプルな構成の歯ブラシであり、身近に携行し易いし、咄嗟に使い易いし、柄に在る数個のストラップホール４を上手に使い分け、フルシーズンを携行に楽しく、人前で楽しく扱える、使い易い次世代ファッションに沿った個性的な健康志向アイテム用品として使える。目的は歯の健康が第１であるが、毎日の事であるから、使って持って楽しい歯ブラシにする為、ストラップホール４に繋ぐ物は全て着脱できる物ばかりで在るからゴージャスな物、丈夫な物などを繋いで、楽しい歯磨き生活をエンジョイするのも良い。
【００１７】  リング歯ブラシＡにおいての間２は、リング植毛３する毛束１を植毛する間隔であり、プラスチックを素材にする歯ブラシならブラシ面中央を上下に抜ける孔にするのも良いが、素材を木竹等にする場合は孔にしないで間を空けるだけにして強度を保ち、漆塗り等の伝統工芸的な技法を用いた台を作り、一順植毛３にはプラスチック毛や獣毛を採用しエコロジー化するのも良いし、手作業で温かい逸品を作る事も良い。
【００１８】  リング歯ブラシに付帯するサプライは着脱が自在であるから、出来る限り互換性在るように設けるのが良いが、歯ブラシのサイズにおいて大小に大きな開きが有れば、暫時対応するサプライをもうければ良いし、医療従事者たちが扱う歯ブラシについても、本発明歯ブラシの理念を損なわない範囲において設けるのが良い。
【００１９】  また、間２を設けてブラシ面の毛束１を少なくしたので、細いブラシ毛束３の先が歯間や歯周に入りやすくして、食物残渣を払いやすくしたから歯磨き効果が良いし、掌に収まる程度に短くし、指先で歯ブラシの柄を親指人差し指中指の先に添える程度で軽く細やかに丁寧に歯磨き操作ができるようにしたから、携行に便利で、磨きたい歯のポイントにブラシ先を当てるコントロールが誰にでも出来るから、きめ細かく念入りな歯磨き生活ができ、歯を汚したら敏感に判り、歯の周りを掃うと清涼感が伝わり、歯磨き回数が増えて、歯科衛生状態は著しく改善される。
【００２０】
【符号の説明】
【００２１】１    毛束
２    間
３    リング植毛
４    ストラップホール
５    ブラシキャップ
６    ストラップ
７    リング
８    サルカン
９    突起
Ａ    リング歯ブラシ
Ｂ    キャップリング歯ブラシ
Ｃ    ジョイントキャップリング歯ブラシ
【図１】
2016129652.tif 000003
【図２】
2016129652.tif 000004
【図３】
2016129652.tif 000005
【図４】
2016129652.tif 000006
【図５】
2016129652.tif 000007
【図６】
2016129652.tif 000008